(57)【要約】【課題】金融営業店の窓口カウンターに設置され、設置された状態でカウンターの内側と外側の両方から操作が行える貨幣取引処理装置において、行員と顧客がそれぞれ取り扱う現金が混同しないようにする。【解決手段】取引入力手段の操作の前に貨幣取引口に貨幣が存在する時、取引入力手段及び／又はカード処理部の操作を不能又は無効とするための制御手段を備える。【選択図】図４
2009295039.tif 000002
【特許請求の範囲】
【請求項１】
金融営業店の窓口カウンターに設置され、設置された状態でカウンターの内側と外側の両方から操作が行える貨幣取引処理装置において、
取引に関する情報を入力する操作を行う夫々の取引入力操作手段と、
装置上面に形成される貨幣の入出口である貨幣取引口と、
貨幣取引口の貨幣の有無を検知する貨幣検知部とを備え、
前記取引入力手段の操作の前に前記貨幣検知部が貨幣を検知した時、前記取引入力手段の操作を不能又は無効とするように制御する制御手段を備えたことを特徴とする貨幣取引処理装置。
【請求項２】
さらにカード処理部を備え、
前記カード処理部の操作の前に前記貨幣検知部が貨幣を検知した時、前記取引入力手段及び／又は前記カード処理部の操作を不能又は無効とするように制御する制御手段を備えたことを特徴とする請求項１に記載の貨幣取引処理装置。
【請求項３】
前記操作を不能とすることが、前記取引入力操作手段の操作画面をロックすること、前記取引入力操作手段の表示部のライトを消すこと、前記取引入力操作手段の入力操作キーを物理的にロックすること、のいずれかである請求項１又は２に記載の貨幣取引処理装置。
【請求項４】
前記操作を無効とすることが、入力された前記取引入力操作手段又は前記カード処理部のデータを無効データとして扱うことである請求項１又は２に記載の貨幣取引処理装置。
【発明の詳細な説明】
【技術分野】
【０００１】
本発明は、金融営業店の窓口カウンターに設置され、カウンターの内側と外側の両方から操作が行える貨幣取引処理装置に関する。
【背景技術】
【０００２】
従来、金融営業店（銀行の本支店等）のロビーに設置されているＡＴＭは、紙幣・硬貨の入出金はできるが、１回の取扱い枚数に制限があり、大口の入出金処理はできなかった。
また、大口の現金の入出金を行う特定の法人客用のためのロビー入金機は、多量の硬貨・紙幣の入金が可能であるが、入金された現金は行員の手で回収して整理する必要がある。
一方、両替機は、棒金・小束（紙幣）の投出は行えるが、その棒金・小束は別途包装・結束されたものを両替機に手で装填するものである。
【０００３】
これに対して、出納機はバラの現金を受け入れて包装・結束を行い、棒金・小束の投出が行えるが、行員しか取扱うことができなかった。
上述のように、大口の入出金を行う顧客はＡＴＭでは処理できないので、窓口担当者に依頼して行う必要があり、待ち時間増加や担当者の負担となっていた。
また、特定の法人客はロビー入金機で大口の入金処理を行うことができたとしても、入金されたバラ状態の現金を回収し、別途整理作業を行う必要があり、これが行員の負担ともなっていた。
さらには、両替機に装填する棒金・小束を別の包装装置で包装し、それを手作業で両替機に装填する作業もあり、これが行員にとって大きな負担となっていた。
【０００４】
一方、営業店の経営者から見れば、顧客の要求を満足させるためには、上述のように、ＡＴＭの他に、両替機、ロビー入金機、出納機のおのおのが必要であり、営業店経営に膨大な費用投資が必要であった。
【０００５】
かかる事情に鑑み、本出願人は金融営業店のロビー等に設置され、大口の入出金や両替が行える顧客操作型の貨幣取引処理装置を既に提案している（特許文献１参照）。この装置は１台の機械で、ロビー入金機、両替機、出納機を兼用するものである。
しかしながら、かかる装置はロビー等に設置され、大口の入出金を扱うものであるため、セキュリティ上の理由により、パーティション等で仕切られた個室スペースに設置する必要がある。このことが営業店舗の経営にとって大きな負担となっていた。
【０００６】
これに対して、窓口カウンターに設置され、カウンターを挟んで顧客とテラー（行員）が対面しながら共用することができる窓口用自動取引装置であって、入出金口をテラー側と顧客側のほぼ中央に配置したことを特徴とする窓口用自動取引装置が提案されている（特許文献２参照）。
しかしながら、この装置は多量の硬貨や紙幣を入出金することができる出納機としての機能は有しておらず、別途出納機等を設置する必要があった。また、対面して使用するため、プライバシーが損なわれると感ずる顧客にとっては使い勝手がよくないという問題もあった。
さらに、行員が現金を入出金口にセットしたときに顧客が入金操作を行った場合、行員がセットした現金が顧客の口座に誤って入金されてしまったり、また、その逆の場合も考えられるため、非常に使い勝手が悪かった。
【０００７】
かかる事情に鑑み、顧客と行員が共用可能であり、出納機としての機能も有し、かつ、カウンターの内側または外側の何れか一方側からのみ選択的に操作可能にするように覆い、他方側からの目視を不能にする遮蔽板を設け、双方のプライバシーを確保することを可能とした貨幣取引処理装置を本出願人は既に提案している（特願2006−178936）が、このような装置においては、遮蔽板によって互いに相手の存在が見えにくくなっているため、行員が現金をセットした後、顧客がそれを知らずに遮蔽板を移動させて入金操作をしてしまうと、行員の紙幣は顧客の入金として取り扱われてしまうおそれも考えられる。
【特許文献１】特開２００４−７０４８６号公報
【特許文献２】特公平８−３１１６８号公報
【発明の開示】
【発明が解決しようとする課題】
【０００８】
本発明は上述のような問題点に鑑み為されたものであり、本発明の目的は、金融営業店の窓口カウンターに設置され、設置された状態でカウンターの内側と外側の両方から操作が行える貨幣取引処理装置において、行員と顧客がそれぞれ取り扱う現金が混同してしまうことのない、使い勝手の良い貨幣取引処理装置を提供することにある。
【課題を解決するための手段】
【０００９】
本発明は、行員と顧客がそれぞれ取り扱う現金が混同してしまうことのない、使い勝手のよい貨幣取引処理装置に関し、本発明の上記目的は、金融営業店の窓口カウンターに設置され、設置された状態でカウンターの内側と外側の両方から操作が行える貨幣取引処理装置において、取引に関する情報を入力する操作を行う夫々の取引入力操作手段と、装置上面に形成される貨幣の入出口である貨幣取引口と、貨幣取引口の貨幣の有無を検知する貨幣検知部とを備え、前記取引入力手段の操作の前に前記貨幣検知部が貨幣を検知した時、前記取引入力手段の操作を不能又は無効とするように制御する制御手段を備えたことを特徴とする貨幣取引処理装置によって達成される。
【００１０】
また、本発明の上記目的は、さらにカード処理部を備え、前記カード処理部の操作の前に前記貨幣検知部が貨幣を検知した時、前記取引入力手段及び／又は前記カード処理部の操作を不能又は無効とするように制御する制御手段を備えたことを特徴とする貨幣取引処理装置によって達成される。
また、本発明の上記目的は、前記操作を不能とすることが、前記取引入力操作手段の操作画面をロックすること、前記取引入力操作手段の表示部のライトを消すこと、前記取引入力操作手段の入力操作キーを物理的にロックすること、のいずれかであることを特徴とする貨幣取引処理装置によって達成される。
更に、本発明の上記目的は、前記操作を無効とすることが、入力された前記取引入力操作手段又は前記カード処理部のデータを無効データとして扱うことであることを特徴とする貨幣取引処理装置によって達成される。
【発明の効果】
【００１１】
本発明に係る貨幣取引処理装置によれば、前記取引入力手段の操作の前に貨幣取引口に貨幣がある場合、前記取引入力手段の操作を不能又は無効とするように制御するので、確実に操作者を片方のみに制限することができ、行員と顧客がそれぞれ取り扱う現金が混同してしまうことがなく、使い勝手が向上する。
【発明を実施するための最良の形態】
【００１２】
以下、本発明に係る貨幣取引処理装置の好ましい実施の形態について、図面を参照しつつ詳細に説明する。
【００１３】
図１は、本発明の実施形態に係る貨幣取引処理装置１の一例を示す外観図である。図１に示されるように、貨幣取引処理装置１は、顧客と行員がそれぞれカウンターの外側と内側の両方から利用できるように、装置上面のほぼ中央に設けられた紙幣入出金口１０及び硬貨入出金口１１（この二つを総称して貨幣取引口と呼ぶ。）、それらが使用中であることを示す表示ランプ１２を具備している。また、行員が各種入力操作用のキー操作を行う行員側操作部１３、入力内容を表示する行員側表示部１４、処理を行う行員のＩＤカード情報等を読み取るカード処理部１５、顧客が入力操作を行うタッチパネルからなる顧客側操作表示部１６（「取引入力操作手段」の実施形態の一つである。）と、バラ紙幣入出金部１７と、バラ硬貨入出金部１８と、束紙幣出金部１９（この内部に紙幣結束部が設けられている。）と、包装硬貨出金部２０（この内部に硬貨包装部が設けられている。）と、束紙幣出金口２１と、包装硬貨（棒金）出金口２２とを備えている。
【００１４】
なお、図１はカウンターに設置された場合の、銀行のカウンターの内側（行員側）から見た場合を示すものである。
また、長手方向が直線形状を成し短手方向がほぼ四半円弧形状に湾曲した蓋部材３０と半円形の支持部材３１とで仕切手段が構成され、一方の側が使用しているときは他方の側からは見えないようになっている。図１の場合は行員側が使用中であることを示している。
なお、本実施形態においては、この仕切手段は補助的なものであり、必須ではない。自分の側が塞がっていれば、相手が使用中であることを気付かせる役目を果たすものであるが、それを無視して（あるいは無意識に）操作を行う者がいないとも限らないので、それを防止するため、一方が操作しているときは他方が操作できないようにしたのが第一実施形態である。
【００１５】
図２は本発明の実施形態に係る貨幣取引処理装置１をカウンターに設置した場合の、銀行のカウンターの外側（顧客側又はロビー側）から見た場合の様子を示すものである。
蓋部材３０によって遮蔽されている側が図１の場合と逆になっていることを示している。
この場合は顧客側が使用中であることを示している。束紙幣出金口２１と包装硬貨（棒金）出金口２２が顧客側にも設けられている。
【００１６】
図３は、本実施形態の貨幣取引処理装置１の内部構成例を示しており、ＣＰＵがＲＯＭ等に格納されたプログラムに従って全体を制御するようになっており、ＣＰＵにはデータを記憶する記憶部が接続されている。また、ＣＰＵ等で構成されるターミナル部２３には、顧客側操作表示部１６、カード処理部、行員側操作部１３、表示部１４、カード処理部１５が接続されている。さらには、ターミナル部２３には、硬貨処理部としてのバラ硬貨入出金部１８、包装硬貨出金部２０と、紙幣処理部としてのバラ紙幣入出金部１７、束紙幣出金部１９の各部が接続されている。なお、ＲＡＭはＣＰＵの作業用メモリである。また、貨幣取引口１０、１１に貨幣があるかどうかを検知する貨幣検知部２９（紙幣検知部29aと硬貨検知部29bをあわせたものである。）が設けられており、該貨幣検知部２９は光センサなどによって貨幣によって貨幣取引口の一部を遮光されることを検知して貨幣の有無を検知するようになっている。
【００１７】
以上の構成において、本発明の実施形態に係る貨幣取引処理装置の動作を図４のフローチャートに基づいて説明する。
入金処理操作を行おうとする者（以下、操作者という。）が、蓋部材３０を回動させて、自分の操作する側を開口させる（ステップＳ１０１）。相手が先に操作中であれば蓋部材３０は閉じられているので、相手が使用中であることに気付くため、通常は相手が終了するまで待つことになるが、相手が蓋部材を閉じたまま終了している可能性もあるので、これを自分の側を開口させるように回動させる場合がある。なお、蓋部材が設けられていない実施形態の場合は、このステップは省略される。
次に、貨幣取引口に貨幣があるかどうかを貨幣検知部２９が検知し（ステップ１０２）、次のステップであるＩＤのキー入力又はカード挿入がまだの状態であるにも係らず貨幣の存在を検知すると、行員側と顧客側の画面に、夫々取り扱いが出来ない旨、或いは貨幣が存在する旨のエラー表示を行い、貨幣取引口から貨幣が取り除かれるまで表示を継続する（ステップＳ１０３）。即ち、エラー表示が行われている状態で取引操作手段やカード挿入が行われても、それらのデータは無効データとして扱われるようになっている。図５はその際に表示される画面の一例であり、図５（Ａ）は顧客側の表示画面の例である。また、図５（Ｂ）は行員側の表示画面の例であり、画面の左下の隅に「入出金口紙幣有」と表示することによって、相手（顧客）が操作中であることを示している。なお、行員の場合は顧客が操作中であっても、手入力による入金処理（手で紙幣を数えて、金額のみ手入力し、現金は収納部に直接手で収納する処理形態）が可能なようにしているので、顧客の表示とは異なっている。
【００１８】
次に、前のステップＳ１０２において、貨幣取引口に貨幣が無い場合、操作者がいずれかの側の取引入力操作手段からＩＤのキー入力又はカード挿入によって装置にエントリーする（ステップＳ１０４）。このとき、操作者の反対側の取引入力操作手段からすでにエントリーがなされている場合は（ステップＳ１０５のＹＥＳ）、表示部に他方の側が使用中であることを表示する（ステップＳ１０６）。
【００１９】
装置への電源投入後の最初のエントリーの場合、あるいは誰も使用していない場合は、ステップＳ１０５は「ＮＯ」になるので、エントリーした側の取引入力操作手段が操作可能になるが、それと同時に他方の側の取引入力操作手段を不能又は無効とする処理を行う（ステップＳ１０７）。
なお、ステップＳ１０３とステップＳ１０７における「操作を不能又は無効」とは、「不能」は操作ボタンを物理的に動かなくロックするとか、ディスプレイのライトを消したり、操作画面をロックしたりして操作を物理的に不可能にすることであり、当然ながら、仕切手段をロックして動かないようにすることも含むが、これについては、第二の実施形態において詳述する。また、「無効」とは、操作はできるが、入力したものはデータとして無視することを意味する。
このようにして、先にエントリーした側の取引入力操作手段のみが操作可能となり、入力操作画面（図示せず）が表示される（ステップＳ１０８）。次に、入力操作が開始され（ステップＳ１０９）、操作が終了すると（ステップＳ１１０のＹＥＳ）、他方の操作の不能又は無効を解除する（ステップＳ１１１）。
これにより、一方の側が操作中は、操作が終了しない限りは他方は操作ができないことになる。
【図面の簡単な説明】
【００２０】
【図１】本発明の実施形態に係る貨幣取引処理装置の一例を示す外観図である。
【図２】本発明の実施形態に係る貨幣取引処理装置をカウンターに設置した場合の、カウンターの外側（顧客側）から見た場合の様子を示すものである。
【図３】本発明の実施形態に係る貨幣取引処理装置の内部構成例を示す図である。
【図４】本発明の実施形態に係る貨幣取引処理装置の動作のフローチャートの一例である。
【図５】本発明の実施形態に係る貨幣取引処理装置の表示画面の一例を示す図である。
【符号の説明】
【００２１】
１ 貨幣取引処理装置
１０ 紙幣入出金口
１１ 硬貨入出金口
１３ 行員側操作部
１４ 行員側表示部
１５ カード処理部
１６ 顧客側操作表示部又は液晶タッチパネル
１７ バラ紙幣入出金部
１８ バラ硬貨入出金部
１９ 束紙幣出金部
２０ 包装硬貨出金部
２１ 束紙幣出金口
２２ 包装硬貨（棒金）出金口
２３ ターミナル部
２９ａ  紙幣検知部
２９ｂ  硬貨検知部
３０ 蓋部材
３１ 支持手段
【図１】
2009295039.tif 000003
【図２】
2009295039.tif 000004
【図３】
2009295039.tif 000005
【図４】
2009295039.tif 000006
【図５】
2009295039.tif 000007